(57)【要約】      （修正有）【課題】散布機に肥料などを入れる作業が楽で効率よく安全に出来、更に背中に簡単に担げて楽に立ち上がることが出来、併せて低コストで製作出来る上下式担ぎ台を提供する。【解決手段】両側を上方向に左右対称に曲げ、その下側を四角部材２に左右対称に取り付け一体化して４本の支柱１を形成し、その支柱を荷台４の４隅の穴部５に通して荷台が上下出来るようにし、その支柱の各々に圧縮コイルバネ２１を挿入し荷台の下側と圧接させて、荷台を持ち上げる際に圧縮コイルバネの力で軽く持ち上げが出来るようにし、併せて、圧縮コイルバネの力だけで空荷の荷台が担ぐ位置に上げられた時に、荷台の両側に取り付けた搖動型フックレバー７のフックが、支柱上部に設けた突起物９に引っ掛る状態で静止が出来るように圧縮コイルバネの力を設定する。更に４本の支柱をガイドとして上下動する荷台が抵抗なくスムーズに上下動が出来るように各々の支柱に挿入してあるフランジ１８と荷台とをＵボルトで連結する構成にする。【選択図】図１
0003208737.tif 000002
【実用新案登録請求の範囲】
【請求項１】
両側を上方向に左右対称に曲げ、その下側を四角部材に左右対称に取り付け一体化して４本の支柱を形成し、その支柱を両側にハンドルが付いた荷台の４隅の穴に通して荷台が上下出来るようにし、その支柱の各々に圧縮コイルバネを挿入し荷台の下側と圧接させて、荷台を持ち上げる際に軽く持ち上げが出来るようにし、圧縮コイルバネの力だけで空荷の荷台が担ぐ位置に上げられた時に、荷台の両側に取り付けた搖動型フックレバーのフックが、支柱上部の連結具に設けた突起物に引っ掛る状態で静止が出来るようにしたことを特徴とする上下式担ぎ台
【請求項２】
前側支柱の外側に別な支柱を設け、その支柱外周に上下が出来るフランジを挿入し、そのフランジと椅子とを連結具で一体化し、支柱を中心にして椅子を搖動と上下が出来るようにしたことを特徴とする請求項１の上下式担ぎ台。
【考案の詳細な説明】
【技術分野】
【０００１】  この考案は、農作業などで背負型散布機などを背中に担いで立ち上がる際に用いる上下式担ぎ台の形状に関する。
【背景技術】
【０００２】  農作業などで背負散布機などを背中に担いで立ち上がることは大変なことで平地からでは担いで立ち上がることが困難なために、従来までは軽トラの荷台や空ケースなどを台代わりにして担いでいる。しかし、軽トラ利用の場合は地面からでは肥料などを散布機の中に入れることが出来ず、軽トラに上がらなければならず、この上り下りが特に高齢者には大変な作業になっている。又、担ぐ補助具の折りたたみ式担ぎ台があるが、この台の上に散布機を置いた状態では高過ぎて肥料などが入れられないので、散布機を地面に置いて肥料などを入れてから再びその台の上まで持上げ、そこに置いてから担いでおり、肥料などを一杯に入れると散布機は重く、持ち上げるには大変な労力を要している。又、別な担ぎ台として、定荷重バネを設けて荷台を軽く上下出来る上下式担ぎ台もあるが、この台ではフックレバーのフックを突起物に引っ掛けた状態で空荷の荷台を静止することが出来ず、最高位置まで上がってロックが効かない状態になるので、空荷の散布機を担いだ状態で椅子に腰掛け散布機を置くと散布機の重みで荷台は下がってしまい、安全に散布機を置く事が出来ない欠点があり、又、椅子が付いていないために作業の度に作業者が椅子を用意しなければならない煩わしさが有り、併せて、定荷重バネが高価格で担ぎ台コストもその分高額になってしまう欠点が生じていた。
【考案の開示】
【考案が解決しようとする課題】
【０００３】  しかしながら以上の技術によれば、いずれも散布機に肥料などを入れ背中に担いで立ち上がるのに大変難儀をしている状態である。そこでこの考案は、従来使用している軽トラや補助具の折りたたみ式担ぎ台や使いにくい従来の上下式担ぎ台を使わずに、散布機に肥料などを入れる作業が楽で効率よく安全に出来、更に背中に簡単に担げて楽に立ち上がることが出来、併せて低コストで製作出来る上下式担ぎ台を提供することを課題とする。
【課題を解決するための手段】
【０００４】  以上の課題を解決するために、本考案の上下式担ぎ台の第一考案は、両側を上方向に左右対称に曲げ、その下側を四角部材に左右対称に取り付け一体化して４本の支柱を形成し、その支柱を荷台の４隅の穴に通して荷台が上下出来るようにし、その支柱の各々に圧縮コイルバネを挿入し荷台の下側と圧接させて、荷台を持ち上げる際に軽く持ち上げが出来るようにし、併せて、圧縮コイルバネの力だけで空荷の荷台が担ぐ位置に上げられた時に、荷台の両側に取り付けた搖動型フックレバーのフックが、支柱上部の連結具に設けた突起物に引っ掛る状態で静止が出来るようにする。更に４本の支柱をガイドとして上下動する荷台がスムーズに上下動出来るように、各々の支柱に挿入してあるフランジと荷台とをＵボルトで連結する構成にする。又、第二考案は、前側支柱の外側に別な支柱を設け、その支柱外周に上下が出来るフランジを挿入し、そのフランジと椅子とを連結具で一体化し、支柱を中心にして椅子を搖動と上下が出来るようにする。
【考案の効果】
【０００５】  第一考案によれば、圧縮コイルバネの力だけで空荷の荷台が担ぐ位置に上げられた時に、荷台の両側に取り付けた搖動型フックレバーのフックが、支柱上部の連結具に設けた突起物に引っ掛る状態で静止が出来るように圧縮コイルバネの力を設定したので、散布機を担いだ状態で椅子に腰掛け荷台に散布機を置いても荷台は下がらず、安全に散布機を置くことが出来るようになった。又、荷台を軽く上げられるために圧縮コイルバネを用いたことから、従来の上下式担ぎ台に使用されている定荷重バネよりはるかに安価であることから製造コストを大きく下げることが出来る。第二考案によれば、前側支柱の外側に別な支柱を設け、その支柱外周に上下が出来るフランジを挿入し、そのフランジと椅子とを連結具で一体化し、支柱を中心にして椅子を搖動と上下が出来るようにしたことから、作業者が担ぎ台正面で荷台を上下させる際は椅子が邪魔になるので椅子を担ぎ台より離し、散布機を担ぐ際は椅子を担ぎ台正面に位置させ腰掛けて担ぎ、収納や運搬をする際には担ぎ台の内部に椅子を入れ込むことが出来るので使い勝手も良く、従来のように作業者が椅子を用意する必要がなくなった。
【考案を実施するための最良の形態】
【０００６】  この考案の実施形態を図面に基づき説明する。
図１は本考案の実施形態を表した斜視図で、両側を上方向に左右対称に曲げた支柱１の下部を四角部材２を介して左右対称に取り付け、４本の支柱を形成し、各々の支柱１に圧縮コイルバネ６を挿入し、荷台４の４隅の穴部５を通して荷台４の下部に圧縮コイルバネ６を圧接させる。支点１１で搖動する補助レバー１０を支点８で搖動する上フックレバー７に取り付け、荷台４の両側に取り付ける。下フックレバー１３を支点１４で荷台４の両側に取り付け、又、突起物１６がある金具１５を支柱１の両側に取り付ける。下側を四角部材２に、上側を連結部材３に各々固定した外支柱１７を設け、下部に圧縮コイルバネ２１を、その上側に上下動出来るフランジ１８を挿入し、そのフランジ１８と椅子１９を連結部材２０で一体化し、椅子１９が外支柱１７を中心にして上下と搖動が出来るようにしてある。これにより作業者が担ぎ台正面で荷台を上下させる際は椅子が邪魔になるので椅子を担ぎ台より離し、散布機を担ぐ際は椅子を担ぎ台正面に位置させ腰掛けて担ぎ、又、収納や運搬をする際には椅子を担ぎ台の内部に入れ込むことが出来る。図２は本考案の実施形態を表した側面図で、圧縮コイルバネ６を荷台４で押し下げて下フックレバー１３のフックを突起物１６に引っ掛けて荷台４を下位置に固定した図であり、この状態で荷台４に置いた散布機には肥料などが入れやすい高さとなる。更に荷台４を下げると下フックレバー１３の凹凸部２２によりフックレバー１３は搖動し、フックは突起物１６から外れて荷台４は上昇出来るようになる。図３は本考案の上下式担ぎ台を使い、連結部材３に付いている突起物９に、荷台４に付いている上フックレバー７のフックが引っ掛った状態の担ぐ位置の荷台４に背負散布機２６を置き、作業者２７が椅子１９に腰掛けて背負散布機２６を担いだ時の図である。図４は本考案の支柱に挿入したフランジと荷台との連結の実施形態を表した断面図であり、金具２４と一体のフランジ２３と圧縮コイルバネ６を支柱１の各々に挿入し、荷台４の穴部５を通して圧縮コイルバネ６をフランジ２３の下部に圧接させ、Ｕボルト２５で荷台４とを連結している図である。
【実施形態の効果】
【０００７】  この実施形態によれば、本担ぎ台は、圧縮コイルバネの力だけで空荷の荷台が担ぐ位置に上げられた時に、荷台の両側に取り付けた搖動型フックレバーのフックが、支柱上部の連結具に設けた突起物に引っ掛る状態で静止出来るように圧縮コイルバネの力を設定したので、散布機を担いだ状態で椅子に腰掛け荷台に散布機を置いても荷台は下がらず、安全に散布機を置くことが出来るようになった。又、荷台を軽く上げるために圧縮コイルバネを用いたことから、従来の上下式担ぎ台に使用されている定荷重バネよりはるかに安価であることから製造コストを大きく下げることが出来た。又、前側支柱の外側に別な支柱を設け、その支柱外周に上下が出来るフランジを挿入し、そのフランジと椅子とを連結具で一体化し、支柱を中心にして椅子を搖動と上下が出来るようにしたことから、作業者が担ぎ台正面で荷台を上下させる際は椅子が邪魔になるので椅子を担ぎ台より離し、散布機を担ぐ際は担ぎ台正面に椅子を位置し担ぎ、収納や運搬をする際には担ぎ台の内部に椅子を入れ込むことが出来るので使い勝手も良く、従来のように作業者が椅子を用意する必要がなくなった。この結果、散布機を担いで立ち上がる作業に関し、従来の軽トラ利用などが不要となり、作業が安全で楽になった。しかも、上側と下側の各々のフックを突起物に引っ掛けて固定した位置の解除は、荷台の上下作業の流れの中で自動的に行える構造であるので、散布機への肥料入れや担ぎ作業の効率も著しく向上した。
【図面の簡単な説明】
【０００８】
【図１】本考案の実施形態を表した斜視図である。
【符号の説明】
【０００９】  １  支柱        ２  四角部材          ３  連結部材          ４  荷台
５  穴部        ６  圧縮コイルバネ    ７  上フックレバー    ８  支点
９  突起物    １０  補助レバー      １１  支点            １２  ハンドル
１３  下フックレバー    １４  支点    １５  金具            １６  突起物
１７  外支柱      １８  フランジ      １９  椅子            ２０  連結部材
２１  圧縮コイルバネ
【図２】
本考案の実施形態を表した側面図である。
【符号の説明】
【００１０】  ４  荷台    ６  圧縮コイルバネ    １３  下フックレバー    １６  突起物
２２  凹凸部
【図３】
本考案の上下式担ぎ台を使い、背負散布機を担いだ状態図である。
【符号の説明】
【００１１】  ３  連結部材    ４  荷台    ７  上フックレバー    ９  突起物
１９  椅子      ２６  背負散布機      ２７  作業者
【図４】
本考案の実施形態の中、支柱に挿入されたＵボルト付フランジ部分の断面図である。
【符号の説明】
【００１２】  １  支柱          ４  荷台        ５  穴部      ６  圧縮コイルバネ
２３  フランジ    ２４  金具      ２５  Ｕボルト
【図１】
0003208737.tif 000003
【図２】
0003208737.tif 000004
【図３】
0003208737.tif 000005
【図４】
0003208737.tif 000006
【手続補正書】
【提出日】平成28年12月13日(2016.12.13)
【手続補正２】
【補正対象書類名】明細書
【補正対象項目名】０００８
【補正方法】変更
【補正の内容】
【０００８】
【図１】本考案の実施形態を表した斜視図である
【図２】本考案の実施形態を表した側面図である
【図３】本考案の上下式担ぎ台を使い、背負散布機を担いだ状態図である
【図４】本考案の実施形態の中、支柱に挿入されたＵボルト付フランジ部分の断面図である
【手続補正３】
【補正対象書類名】明細書
【補正対象項目名】０００９
【補正方法】変更
【補正の内容】
【０００９】  １  支柱      ２  四角部材          ３  連結部材          ４  荷台
５  穴部      ６  圧縮コイルバネ    ７  上フックレバー    ８  支点
９  突起物  １０  補助レバー      １１  支点            １２  ハンドル
１３  下フックレバー    １４  支点      １５  金具        １６  突起物
１７  外支柱        １８  フランジ      １９  椅子        ２０  連結部材
２１  圧縮コイルバネ    ２２  凹凸部    ２３  フランジ    ２４  金具
２５  Ｕボルト      ２６  背負散布機    ２７  作業者
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】